(57)【要約】【課題】記蓋部を閉じる際に、ハーフロック状態が生じにくく、確実に蓋部を閉じることのできるプリンタ装置を提供する。【解決手段】ロール状に巻かれた記録紙が設置される記録紙ホルダが設けられたプリンタ本体部と、前記プリンタ本体部に開閉可能な状態で取り付けられた蓋部と、前記蓋部に取り付けられたプラテンローラと、前記プリンタ本体部に取り付けられたプリントヘッドと、前記蓋部が閉じられた状態において、プラテンローラの軸受を支持するロックレバーと、を有し、前記蓋部には、２つのスライド板と、前記スライド板を相互に近づく方向にスライドさせるボタンが設けられており、前記ボタンが動かされている状態においては、前記スライド板が互いに近づき、前記スライド板の端部が前記記録紙ホルダの外側の記録紙ホルダ外枠部よりも内側に入り込み、前記蓋部が閉じられることを特徴とするプリンタ装置を提供することにより上記課題を解決する。【選択図】  図１３
2017081128.tif 000002
【特許請求の範囲】
【請求項１】
ロール状に巻かれた記録紙が設置される記録紙ホルダが設けられたプリンタ本体部と、
前記プリンタ本体部に開閉可能な状態で取り付けられた蓋部と、
前記蓋部に取り付けられたプラテンローラと、
前記プリンタ本体部に取り付けられたプリントヘッドと、
前記蓋部が閉じられた状態において、プラテンローラの軸受を支持するロックレバーと、
を有し、
前記蓋部には、２つのスライド板と、前記スライド板を相互に近づく方向にスライドさせるボタンが設けられており、
前記ボタンが動かされている状態においては、前記スライド板が互いに近づき、前記スライド板の端部が前記記録紙ホルダの外側の記録紙ホルダ外枠部よりも内側に入り込み、前記蓋部が閉じられることを特徴とするプリンタ装置。
【請求項２】
前記ボタンが動かされていない状態においては、前記スライド板が互いに離れており、前記スライド板の端部と前記記録紙ホルダの外側の記録紙ホルダ外枠部とが接触し、前記蓋部を閉じることができないことを特徴とする請求項１に記載のプリンタ装置。
【請求項３】
前記ボタンの前記記録紙ホルダ側には、２つの傾斜面が形成されており、
前記スライド板には、前記ボタンの傾斜面に対応する傾斜面が各々形成されており、
前記ボタンを動かした際には、前記ボタンの傾斜面が、前記スライド板の傾斜面に沿って移動することにより、互いの前記スライド板が近づくことを特徴とする請求項１または２に記載のプリンタ装置。
【請求項４】
前記ボタンの前記記録紙ホルダ側にはギアが設けられており、
各々の前記スライド板には、スライド板ギア部が設けられており、
前記ボタンのギアと前記スライド板ギア部との間には、前記ボタンのギア及び前記スライド板ギア部と噛み合う連結ギアが設けられており、
前記ボタンを動かすことにより、前記ボタンのギアが、前記スライド板ギア部と噛み合っている前記連結ギアを回動させ、互いの前記スライド板が近づくことを特徴とする請求項１または２に記載のプリンタ装置。
【請求項５】
互いの前記スライド板が広がる方向に復元力を有するバネが設けられていることを特徴とする請求項１から４のいずれかに記載のプリンタ装置。
【発明の詳細な説明】
【技術分野】
【０００１】
本発明は、プリンタ装置に関する。
【背景技術】
【０００２】
プリンタは、商店等のレジスタ、銀行等におけるＡＴＭ（Automated Teller Machine）やＣＤ（Cash dispenser）等の用途に幅広く用いられている。
【０００３】
このようなプリンタ装置には、例えば、プリンタ本体部と、プリンタ本体部に回動可能な状態で支持された蓋部が設けられたものがあり、この蓋部を開くことによりプリンタ本体部の記録紙ホルダに、ロール状に巻かれた記録紙を設置することができる。
【先行技術文献】
【特許文献】
【０００４】
【特許文献１】特許第２５８５７６９号公報
【特許文献２】特開２００３−２４６１０４号公報
【特許文献３】特開２００９−２８９１０号公報
【発明の概要】
【発明が解決しようとする課題】
【０００５】
ところで、上述したプリンタ装置は、様々なユーザが使用する発券装置等の情報機器端末装置にも用いられている。このような発券装置においては、記録紙がなくなるとユーザが記録紙を交換することが求められる場合があり、この際、ユーザ自身により蓋部を開いて記録紙ホルダに記録紙を入れ、その後、蓋部を閉じることが行われる。蓋部を閉じる際には、例えば、プリンタ本体部の内側の両側に設けられたロック部に、プラテンローラの両側の軸受が各々入り込むことにより、蓋部がロックされ記録紙への印字が可能な状態となる。
【０００６】
しかしながら、蓋部を閉じるため、蓋部を外側より押した場合に、プリンタ本体部の内側の両側に設けられたロック部のうち、一方のロック部には、プラテンローラの軸受けが完全に入り込んでいるが、他方のロック部には、プラテンローラの軸受けは完全には入り込んではおらず、途中で止まっている状態となる場合がある。このような状態は、ハーフロック状態と呼ばれており、サーマルヘッドに対するプラテンローラの位置がずれているためプリンタ装置において印字を行うことができない。このようなハーフロック状態は、ユーザからは、一見すると蓋部が閉じられているように見えるため、ユーザは、蓋部が閉じられているにも関わらず印字が行われないと思い、プリンタ装置が故障しているものと判断してしまう場合がある。このようなハーフロック状態を解消するためには、例えば、他方のロック部が設けられている側の蓋部を押したり、再度蓋部を開いて閉じること等の操作を行えばよいが、ユーザは、一旦プリンタ装置が故障しているものと判断してしまうと、そのような操作はなかなか行われない。このため、プリンタ装置による印字を行うことができず、発券装置等の情報機器端末装置を使用することができなくなってしまう。
【０００７】
従って、蓋部を閉じる際には、ハーフロック状態が生じにくく、確実に蓋部を閉じることのできるプリンタ装置が求められている。
【課題を解決するための手段】
【０００８】
本実施の形態の一観点によれば、ロール状に巻かれた記録紙が設置される記録紙ホルダが設けられたプリンタ本体部と、前記プリンタ本体部に開閉可能な状態で取り付けられた蓋部と、前記蓋部に取り付けられたプラテンローラと、前記プリンタ本体部に取り付けられたプリントヘッドと、前記蓋部が閉じられた状態において、プラテンローラの軸受を支持するロックレバーと、を有し、前記蓋部には、２つのスライド板と、前記スライド板を相互に近づく方向にスライドさせるボタンが設けられており、前記ボタンが動かされている状態においては、前記スライド板が互いに近づき、前記スライド板の端部が前記記録紙ホルダの外側の記録紙ホルダ外枠部よりも内側に入り込み、前記蓋部が閉じられることを特徴とする。
【発明の効果】
【０００９】
本発明によれば、プリンタ装置において、蓋部を閉じる際にハーフロック状態が生じにくく、確実に蓋部を閉じることができる。
【図面の簡単な説明】
【００１０】
【図１】プリンタ装置の蓋部が閉じている状態の斜視図
【図２】プリンタ装置の蓋部が開いている状態の断面図（１）
【図３】プリンタ装置の蓋部が開いている状態の断面図（２）
【図４】プリンタ装置の蓋部を閉じる場合の説明図
【図５】プリンタ装置の蓋部が完全に閉じられている状態の説明図
【図６】プリンタ装置の蓋部を開く場合の説明図
【図７】プリンタ装置の蓋部がハーフロックの状態の説明図（１）
【図８】プリンタ装置の蓋部がハーフロックの状態の説明図（２）
【図９】プリンタ装置の蓋部がハーフロックとなる場合の説明図
【図１０】第１の実施の形態におけるプリンタ装置の蓋部が閉じている状態の斜視図
【図１１】第１の実施の形態におけるプリンタ装置の蓋部が開いている状態の断面図
【図１２】第１の実施の形態におけるプリンタ装置の蓋部の斜視図
【図１３】第１の実施の形態におけるプリンタ装置の蓋部の説明図
【図１４】第１の実施の形態におけるプリンタ装置の蓋部が閉じられないことの説明図
【図１５】第１の実施の形態におけるプリンタ装置の蓋部を閉じる操作の説明図（１）
【図１６】第１の実施の形態におけるプリンタ装置の蓋部を閉じる操作の説明図（２）
【図１７】第１の実施の形態におけるプリンタ装置の蓋部が閉じられることの説明図
【図１８】第１の実施の形態におけるプリンタ装置の蓋部を閉じる操作の説明図（３）
【図１９】第１の実施の形態におけるプリンタ装置のスライド機構部のバネの説明図
【図２０】第２の実施の形態におけるプリンタ装置の蓋部が閉じている状態の斜視図
【図２１】第２の実施の形態におけるプリンタ装置の蓋部の斜視図
【図２２】第２の実施の形態におけるプリンタ装置の蓋部の説明図
【図２３】第２の実施の形態におけるプリンタ装置の蓋部のスライドボタンの説明図
【図２４】第２の実施の形態におけるプリンタ装置の蓋部を閉じる操作の説明図（１）
【図２５】第２の実施の形態におけるプリンタ装置の蓋部を閉じる操作の説明図（２）
【図２６】第２の実施の形態におけるプリンタ装置の蓋部を閉じる操作の説明図（３）
【図２７】第２の実施の形態におけるプリンタ装置の蓋部を閉じる操作の説明図（４）
【図２８】第２の実施の形態におけるプリンタ装置の蓋部を閉じる操作の説明図（５）
【発明を実施するための形態】
【００１１】
本発明を実施するための形態について、以下に説明する。尚、同じ部材等については、同一の符号を付して説明を省略する。
【００１２】
（プリンタ装置）
最初に、図１〜図３に示されるプリンタ装置において、蓋部を閉じる際に、ハーフロック状態が生じることについて説明する。図１〜図３に示されるプリンタ装置は、クラムシェルタイプのプリンタ装置とも呼ばれるものであり、ロール状に巻かれた記録紙を落とし込み方式により、記録紙ホルダ内に設置する構造のものである。図１は、プリンタ装置において蓋部が閉じている状態の斜視図であり、図２及び図３は、蓋部が開いている状態の断面図であり、図２は、記録紙ホルダ内に記録紙が入れられる前の状態を示し、図３は、記録紙ホルダ内にロール状に巻かれた記録紙が入れられている状態を示す。
【００１３】
図１〜図３に示されるプリンタ装置は、プリンタ本体部１０と、プリンタ本体部１０に取り付けられている蓋部２０とを有している。蓋部２０は、回転軸を中心に回動可能な状態でプリンタ本体部１０に取り付けられている。プリンタ本体部１０には、記録紙ホルダ１１、ロール状に巻かれた記録紙１００に印字を行なうためのプリントヘッドであるサーマルヘッド３０、制御回路基板、モータ等が設けられている。記録紙ホルダ１１は、内部にロール状に巻かれた記録紙１００が入れられるように形成されている。蓋部２０には、プラテンローラ４０、印字のなされた記録紙１００を切断するためのカッタユニット５０等が設けられている。
【００１４】
図１〜図３に示されるプリンタ装置においては、ロール状に巻かれた記録紙１００を記録紙ホルダ１１内に入れ、蓋部２０を閉じることにより記録紙１００が設置される。図２及び図３に示される状態より、蓋部２０を閉じる際には、蓋部２０を回転軸を中心に回動させることにより閉じることができる。図４は、蓋部２０を回転軸を中心に破線矢印Ａに示す方向に回動させて、閉じている途中の状態を示すものであり、図５は、蓋部２０が完全に閉じられた状態の説明図である。尚、図５（ａ）は、蓋部２０が閉じられた状態のプリンタ装置の上面図であり、図５（ｂ）は、図５（ａ）に示されるプリンタ装置において、右側の端の近傍における断面図であり、図５（ｃ）は、左側の端の近傍における断面図である。
【００１５】
プリンタ本体部１０には、蓋部２０が閉じられた際に、プラテンローラ４０の左右の軸受４１ａ、４１ｂを支持しロックするためのロックレバー６０が設けられている。ロックレバー６０には、左右のロック部、即ち、右側ロック部６１ａと左側ロック部６１ｂが設けられており、右側ロック部６１ａには、プラテンローラ４０の右側の軸受４１ａが入る開口部６２ａが設けられており、左側ロック部６１ｂには、プラテンローラ４０の左側の軸受４１ｂが入る開口部６２ｂが設けられており、右側ロック部６１ａが設けられている側には、ロックレバー６０を回動させる操作を行う操作部６３が設けられている。
【００１６】
従って、図５に示すように、蓋部２０が閉じられた際には、ロックレバー６０の右側ロック部６１ａの開口部６２ａ内には、プラテンローラ４０の右側の軸受４１ａが完全に入り、ロックレバー６０の左側ロック部６１ｂの開口部６２ｂ内には、プラテンローラ４０の左側の軸受４１ｂが完全に入ることにより、蓋部２０が開かないようにロックされる。このようなロックされた状態において、サーマルヘッド３０により記録紙１００に印字がなされる。
【００１７】
尚、このプリンタ装置において、蓋部２０を開く際には、図６に示されるように、ロックレバー６０の操作部６３を破線矢印Ｂに示す方向に動かす。これにより、プラテンローラ４０の軸受４１ａ、４１ｂが、ロックレバー６０の右側ロック部６１ａの開口部６２ａ、左側ロック部６１ｂの開口部６２ｂより各々出て、蓋部２０は破線矢印Ｃに示す方向に回動し開かれる。
【００１８】
このようなプリンタ装置において生じるハーフロック状態とは、具体的には、図７に示すように、ロックレバー６０の右側ロック部６１ａの開口部６２ａにはプラテンローラ４０の右側の軸受４１ａが完全に入っているが、左側ロック部６１ｂの開口部６２ｂにはプラテンローラ４０の左側の軸受４１ｂが完全には入っておらず、途中で止まっている状態、または、図８に示すように、ロックレバー６０の左側ロック部６１ｂの開口部６２ｂにはプラテンローラ４０の左側の軸受４１ｂが完全に入っているが、右側ロック部６１ａの開口部６２ａにはプラテンローラ４０の右側の軸受４１ａが完全には入っておらず、途中で止まっている状態である。これらの状態においては、プラテンローラ４０の軸受の一方は、ロックレバー６０の開口部に入っているため、蓋部２０が開くことはないが、プラテンローラ４０の軸受の他方は、ロックレバー６０の開口部には入っていないため、サーマルヘッド３０に対するプラテンローラ４０の位置がずれた状態であり印字をすることができない。尚、図７（ａ）は、一方のハーフロック状態のプリンタ装置の上面図であり、図７（ｂ）は、図７（ａ）に示されるプリンタ装置において、右側の端の近傍における断面図であり、図７（ｃ）は、左側の端の近傍における断面図である。また、図８（ａ）は、他方のハーフロック状態のプリンタ装置の上面図であり、図８（ｂ）は、図８（ａ）に示されるプリンタ装置において、右側の端の近傍における断面図であり、図８（ｃ）は、左側の端の近傍における断面図である。
【００１９】
このようなプリンタ装置においては、図７に示されるハーフロック状態は、蓋部２０を閉じる際に、図７及び図９における破線矢印Ｄに示すように、蓋部２０の右側のみを押して蓋部２０を閉じることにより発生する。また、図８に示されるハーフロック状態は、蓋部２０を閉じる際に、図８及び図９における破線矢印Ｅに示すように、蓋部２０の左側のみを押して蓋部２０を閉じることにより発生する。
【００２０】
〔第１の実施の形態〕
次に、本実施の形態におけるプリンタ装置について、図１０〜図１７に基づき説明する。本実施の形態におけるプリンタ装置は、クラムシェルタイプのプリンタ装置とも呼ばれるものであり、ロール状に巻かれた記録紙を落とし込み方式により、記録紙ホルダ内に設置する構造のものである。図１０は、本実施の形態におけるプリンタ装置において蓋部が閉じている状態の斜視図であり、図１１は、蓋部が開いている状態の断面図であり、図１２は、本実施の形態におけるプリンタ装置の蓋部の内側の斜視図である。
【００２１】
本実施の形態におけるプリンタ装置は、プリンタ本体部１１０と、プリンタ本体部１１０に取り付けられている蓋部１２０とを有している。蓋部１２０は、回転軸を中心に回動可能な状態でプリンタ本体部１１０に取り付けられている。言い換えるならば、本実施の形態におけるプリンタ装置は、プリンタ本体部１１０に開閉可能な状態で取り付けられている蓋部１２０を有している。
【００２２】
プリンタ本体部１１０には、記録紙ホルダ１１１、記録紙に印字を行なうためのプリントヘッドであるサーマルヘッド１３０、制御回路基板、モータ等が設けられている。記録紙ホルダ１１１は、記録紙ホルダ１１１の内部に、ロール状に巻かれた記録紙が入れられるように形成されている。尚、本実施の形態におけるプリンタ装置に用いられるロール状に巻かれた記録紙は感熱紙である。モータは、記録紙を搬送するためプラテンローラ１４０を駆動するためのモータ、印字のなされた記録紙を切断するため後述するカッタユニットを駆動するためのモータ等が搭載されている。
【００２３】
蓋部１２０には、プラテンローラ１４０、カッタユニット１５０、スライド機構部１７０が設けられている。図１３に示されるように、スライド機構部１７０は、蓋部１２０の内側に設けられた２つのスライド板１７１、１７２と、２つのスライド板１７１、１７２を破線矢印Ｆに示す方向にスライドさせる蓋部１２０の外側に出た押しボタン１７３とを有している。押しボタン１７３は蓋部１２０の外側上部の幅方向中央部分に設けられており、破線矢印Ｇに示す方向となる蓋部１２０側に押すことにより操作される。また、スライド板１７１とスライド板１７２との間には、コイルバネ１７４が設けられており、コイルバネ１７４には、スライド板１７１とスライド板１７２とが離れる方向、即ち、スライド板１７１とスライド板１７２との間が広がる方向に力が働いている。尚、図１３は押しボタン１７３が押されていない状態を示すものであり、図１３（ａ）は、プラテンローラ１４０及びカッタユニット１５０を取り除いた状態の蓋部１２０の内側を示す図であり、図１３（ｂ）は断面図であり、図１３（ｃ）は図１３（ｂ）に要部拡大図である。
【００２４】
スライド板１７１には、破線矢印Ｆに示されるスライド方向に伸びる案内溝１７１ａが設けられており、案内溝１７１ａ内には蓋部１２０の内側に設けられた案内突起部１２１が入っている。同様に、スライド板１７２には、破線矢印Ｆに示されるスライド方向に伸びる案内溝１７２ａが設けられており、案内溝１７２ａ内には蓋部１２０の内側に設けられた案内突起部１２２が入っている。
【００２５】
押しボタン１７３の内側には、内側に向かって広がる押しボタン傾斜面１７３ａ及び１７３ｂが設けられている。また、スライド板１７１には、押しボタン傾斜面１７３ａの斜面に対応した斜面を有するスライド板傾斜面１７１ｂが設けられており、スライド板１７２には、押しボタン傾斜面１７３ｂの斜面に対応した斜面を有するスライド板傾斜面１７２ｂが設けられている。
【００２６】
本実施の形態におけるプリンタ装置においては、蓋部１２０を閉じようと蓋部１２０を押しても、図１４に示されるように、スライド板１７１及びスライド板１７２がプリンタ本体部１１０における記録紙ホルダ１１１の両側の記録紙ホルダ外枠部１１２に接触して、蓋部１２０を閉じることができない。この状態においては、プラテンローラ１４０の一方の軸受１４１ａは、ロックレバー１６０の右側ロック部１６１ａの開口部１６２ａ内には入っておらず、同様に、プラテンローラ１４０の他方の軸受１４１ｂもロックレバー１６０における左側ロック部１６１ｂの開口部１６２ｂ内には入っていない。このため、蓋部１２０は閉じられてはおらず、ロックはされてはいない。図１４（ａ）は、この状態を説明するプリンタ本体部とスライド機構部の一部の斜視図であり、図１４（ｂ）は、この状態におけるプリンタ装置において、右側の端の近傍における断面図であり、図１４（ｃ）は、左側の端の近傍における断面図である。尚、本実施の形態におけるプリンタ装置においては、右側ロック部１６１ａが設けられている側には、ロックレバー１６０を回動させる操作を行う操作部１６３が設けられている。
【００２７】
本実施の形態におけるプリンタ装置において、蓋部１２０を閉じる際には、図１３に示される状態より、蓋部１２０の幅方向中央部分の外側に設けられた押しボタン１７３を破線矢印Ｇに示す方向に押すことにより、図１５に示される状態、図１６に示される状態の順に、スライド板１７１、１７２がスライドする。
【００２８】
具体的には、蓋部１２０に設けられた押しボタン１７３を押すことにより、押しボタン１７３の内側に設けられた押しボタン傾斜面１７３ａにより、スライド板１７１におけるスライド板傾斜面１７１ｂが押される。これにより、押しボタン傾斜面１７３ａがスライド板傾斜面１７１ｂを移動し、スライド板１７１は、破線矢印Ｈに示す方向にスライドする。同時に、押しボタン１７３の内側に設けられた押しボタン傾斜面１７３ｂにより、スライド板１７２におけるスライド板傾斜面１７２ｂが押される。これにより、押しボタン傾斜面１７３ｂがスライド板傾斜面１７２ｂを移動し、スライド板１７２は、破線矢印Ｉに示す方向にスライドする。尚、図１５（ａ）は、押しボタン１７３が押されている途中の状態におけるプラテンローラ１４０及びカッタユニット１５０を取り除いた状態の蓋部１２０の内側を示す図であり、図１５（ｂ）は断面図の拡大図である。図１６（ａ）は、押しボタン１７３が押された状態におけるプラテンローラ１４０及びカッタユニット１５０を取り除いた状態の蓋部１２０の内側を示す図であり、図１６（ｂ）は断面図であり、図１６（ｃ）は図１６（ｂ）に要部拡大図である。
【００２９】
図１６に示されるように、蓋部１２０の幅方向中央部分に設けられた押しボタン１７３を押すことにより、スライド板１７１とスライド板１７２とは互いに近づく方向にスライドする。これにより、スライド板１７１とスライド板１７２との端部は、記録紙ホルダ外枠部１１２より内側にスライドするため、スライド板１７１とスライド板１７２は、記録紙ホルダ１１１内に入ることができ、蓋部１２０を閉じることができる。そして押しボタン１７３は蓋部１２０の幅方向中央部分に設けられているため、プラテンローラ４０の軸受４１ａ、４１ｂがそれぞれロックレバー６０の右側ロック部６１ａの開口部６２ａ、左側ロック部６１ｂの開口部６２ｂに入る。この状態を図１７に示す。尚、図１７（ａ）は、この状態を説明するプリンタ本体部とスライド機構部の一部の斜視図であり、図１７（ｂ）は、この状態におけるプリンタ装置において、右側の端の近傍における断面図であり、図１７（ｃ）は、左側の端の近傍における断面図である。
【００３０】
即ち、本実施の形態においては、押しボタン１７３が中央にあり、その中央にある押しボタン１７３を押さないと、蓋部１２０が閉まらないため、結果として、ハーフロックにはならない。
【００３１】
本実施の形態におけるプリンタ装置の蓋部１２０を閉じる手順の概略について図１８に基づき説明する。図１８（ａ）は、本実施の形態におけるプリンタ装置において、蓋部１２０が開いている状態を示すものであり、この状態においては、押しボタン１７３は押されておらず、スライド板１７１、１７２も広がった状態のままである。この状態のまま、図１８（ｂ）に示されるように、破線矢印Ｊに示す方向に蓋部１２０を押して、蓋部１２０を閉じようとしても、広がった状態のスライド板１７１、１７２が、プリンタ本体部１１０における記録紙ホルダ外枠部１１２とぶつかるため、蓋部１２０を閉じることができない。この状態は、図１３及び図１４に示される状態に相当している。
【００３２】
本実施の形態におけるプリンタ装置においては、蓋部１２０を閉じる際には、図１８（ｃ）に示すように、押しボタン１７３を破線矢印Ｇに示す方向に押す。これにより、スライド板１７１、１７２は相互に近づき、スライド板１７１、１７２の間隔が狭くなり、スライド板１７１、１７２は、記録紙ホルダ外枠部１１２の内側に入り込み、蓋部１２０を閉じることができる。図１８（ｄ）は、蓋部１２０が閉じられている状態を示しており、この状態は、図１６及び図１７に示される状態に相当している。
【００３３】
蓋部１２０を開く際には、図１０に示される破線矢印Ｋに示す方向に、蓋部１２０に設けられたロック解除レバー１１３を押し下げることにより、ロックレバー１６０が動き、図１８（ｅ）に示されるように、破線矢印Ｌに示す方向に蓋部１２０が開かれる。この際、コイルバネ１７４の復元力により、スライド板１７１、１７２は、左右に広がる。即ち、コイルバネ１７４の復元力により、スライド板１７１は、破線矢印Ｍに示す方向にスライドし、スライド板１７２は、破線矢印Ｎに示す方向にスライドし、スライド板１７１、１７２は、左右に広がる。
【００３４】
尚、蓋部１２０が閉じられている状態においては、図１８（ｄ）に示すように、コイルバネ１７４の復元力により、スライド板１７１、１７２の端部は、記録紙ホルダ１１１の内側の壁と接しているが、スライド板１７１、１７２は、蓋部１２０をロックする機構のものではないため、蓋部１２０のロックは、プラテンローラ１４０に設けられた軸受が、ロックレバー１６０における開口部内に入り込むことによりなされる。
【００３５】
本実施の形態におけるプリンタ装置においては、スライド機構部１７０におけるスライド板１７１、１７２は、モールド樹脂等の樹脂材料により形成されたものであってもよく、金属材料により形成されたものであってもよい。スライド板１７１、１７２を金属材料により形成する場合には、板金を加工したもの、例えば、ステンレス板を加工したものであってもよく、また、亜鉛ダイキャスト等のダイキャスト成形したものであってもよい。
【００３６】
上記においては、スライド機構部１７０には、図１９（ａ）に示されるコイルバネ１７４を用いた場合について説明したが、本実施の形態は、図１９（ｂ）に示されるようにコイルバネ１７４に代えてねじりコイルバネ１７５を用いてもよく、また、図１９（ｃ）に示されるようにコイルバネ１７４に代えて板バネ１７６を用いてもよい。
【００３７】
〔第２の実施の形態〕
次に、第２の実施の形態について説明する。本実施の形態におけるプリンタ装置は、第１の実施の形態におけるスライド機構部とは、異なる構造のスライド機構部が用いられているプリンタ装置である。本実施の形態におけるプリンタ装置について、図２０〜図２１に基づき説明する。図２０は、本実施の形態におけるプリンタ装置において蓋部が閉じている状態の斜視図であり、図２１は、本実施の形態におけるプリンタ装置の蓋部の内側の斜視図である。
【００３８】
本実施の形態におけるプリンタ装置は、プリンタ本体部１１０と、プリンタ本体部１１０に取り付けられている蓋部１２０とを有している。蓋部１２０は、回転軸を中心に回動可能な状態でプリンタ本体部１１０に取り付けられている。
【００３９】
蓋部１２０には、プラテンローラ１４０、カッタユニット１５０等の他、スライド機構部２７０が設けられている。スライド機構部２７０は、図２２に示されるように、蓋部１２０の内側に設けられた２つのスライド板２７１、２７２、２つのスライド板２７１、２７２を破線矢印Ｐに示す方向にスライドさせる蓋部１２０の外側に出たスライドボタン２７３、コイルバネ２７４及び２７５、連結ギア２７６が設けられている。図２０に示されるように、スライドボタン２７３は蓋部１２０の外側の上部中央部分に設けられており、蓋部１２０の外側の表面に沿って、破線矢印Ｑに示される下方向にスライドさせることにより操作する。尚、図２２は、プラテンローラ１４０及びカッタユニット１５０を取り除いた状態の蓋部１２０の内側を示す図であり、スライドボタン２７３をスライドさせる前の状態を示すものである。
【００４０】
スライド板２７１には、破線矢印Ｐに示されるスライド方向に伸びる開口部２７１ａが設けられており、開口部２７１ａ内には蓋部１２０の内側に設けられた突起部２２１が入れられており、突起部２２１と開口部２７１ａの外側の側面との間には、コイルバネ２７４が設置されている。また、スライド板２７２には、破線矢印Ｐに示されるスライド方向に伸びる開口部２７２ａが設けられており、開口部２７２ａ内には蓋部１２０の内側に設けられた突起部２２２が入れられており、突起部２２２と開口部２７２ａの外側の側面との間には、コイルバネ２７５が設置されている。尚、このコイルバネ２７４及び２７５には、バネの伸びる方向に復元力が働いている。
【００４１】
また、スライド板２７１には内側にスライド板ギア部２７１ｂが設けられており、スライド板２７２には内側にスライド板ギア部２７２ｂが設けられている。スライド板ギア部２７１ｂとスライド板ギア部２７２ｂとの間には、連結ギア２７６が設けられており、スライド板ギア部２７１ｂと連結ギア２７６、スライド板ギア部２７２ｂと連結ギア２７６が噛み合っている。また、図２３に示されるように、スライドボタン２７３の裏面には、動作ギア２７３ａが設けられており、動作ギア２７３ａと連結ギア２７６が噛み合っている。
【００４２】
本実施の形態におけるプリンタ装置においても、第１の実施の形態におけるプリンタ装置と同様に、スライドボタン２７３が操作されていない状態においては、スライド板２７１、２７２が広がっているため、蓋部１２０を閉じることができない。具体的には、図２４に示されるように、スライド板２７１には、スライド板２７１の開口部２７１ａ内に設置されたコイルバネ２７４の復元力が破線矢印Ｒに示す方向に働いており、スライド板２７２には、スライド板２７２の開口部２７２ａ内に設置されたコイルバネ２７５の復元力が破線矢印Ｓに示す方向に働いており、スライド板２７１、２７２は広がっている。このため、蓋部１２０を閉じようとしても、スライド板２７１及びスライド板２７２がプリンタ本体部１１０における記録紙ホルダの両側の記録紙ホルダ外枠部と接触して、これ以上、蓋部１２０を閉じることができない。尚、図２４（ａ）は、この状態におけるスライドボタン２７３の位置を示し、図２４（ｂ）は、この状態におけるプラテンローラ１４０及びカッタユニット１５０を取り除いた状態の蓋部１２０の内側を示す。
【００４３】
本実施の形態におけるプリンタ装置において、蓋部１２０を閉じる際には、図２４に示される状態より、蓋部１２０に設けられたスライドボタン２７３を破線矢印Ｑに示す方向にスライドして下げることにより、図２５に示される状態、図２６に示される状態の順に、スライド板２７１、２７２をスライドさせる。即ち、スライド板２７１は、破線矢印Ｔに示す方向にスライドし、スライド板２７２は、破線矢印Ｕに示す方向にスライドし、スライド板２７１とスライド板２７２とが互いに近づく。
【００４４】
尚、図２５（ａ）は、スライドボタン２７３を破線矢印Ｑに示される方向にスライドさせている途中の状態におけるスライドボタン２７３の位置を示し、図２５（ｂ）は、この状態におけるプラテンローラ１４０及びカッタユニット１５０を取り除いた状態の蓋部１２０の内側を示す。図２６（ａ）は、スライドボタン２７３を完全にスライドさせた状態におけるスライドボタン２７３の位置を示し、図２６（ｂ）は、この状態におけるプラテンローラ１４０及びカッタユニット１５０を取り除いた状態の蓋部１２０の内側を示す。
【００４５】
具体的には、図２５（ａ）に示される状態、図２６（ａ）に示される状態の順に、スライドボタン２７３を破線矢印Ｑに示す方向にスライドして下げることにより、これに連動して、スライドボタン２７３の裏面に設けられた動作ギア２７３ａも下に動き、連結ギア２７６を回転させる。
【００４６】
具体的には、図２７（ａ）に示されるように、スライドボタン２７３の操作がなされていない状態より、図２７（ｂ）に示されるように、スライドボタン２７３を破線矢印Ｑに示す方向に下げることにより、スライドボタン２７３の裏面に設けられた動作ギア２７３ａが動き、動作ギア２７３ａと噛み合っている連結ギア２７６は、破線矢印Ｖに示される反時計回りに回転し、図２７（ｃ）に示される状態となる。
【００４７】
また、連結ギア２７６は、スライド板２７１におけるスライド板ギア部２７１ｂ及びスライド板２７２におけるスライド板ギア部２７２ｂとも噛み合っているため、図２８（ａ）に示されるように、スライドボタン２７３の操作がなされていない状態より、スライドボタン２７３を破線矢印Ｑに示される方向に下げることにより、図２８（ｂ）に示されるように、連結ギア２７６が破線矢印Ｖに示される反時計回りに回転し、連結ギア２７６とスライド板ギア部２７１ｂが噛み合っているスライド板２７１は、破線矢印Ｔに示す方向にスライドし、連結ギア２７６とスライド板ギア部２７２ｂが噛み合っているスライド板２７２は、破線矢印Ｕに示す方向にスライドし、図２７（ｃ）に示される状態となる。
【００４８】
このようにして、スライド板２７１とスライド板２７２は、記録紙ホルダ外枠部よりの内側まで、相互に近づく方向にスライドし、記録紙ホルダ内に入るため、蓋部１２０を閉じることができる。
【００４９】
尚、上記以外の内容については、第１の実施の形態と同様である。
【００５０】
本実施の形態は、第１の実施の形態のように、スライドボタン２７３を蓋部１２０側に向かって押す機構にしたものであってもよい。また、第１の実施の形態におけるプリンタ装置における押しボタンは、蓋部１２０の表面に沿って下方向に動かす機構にしてもよい。これらの機構にする場合には、適宜構成を変更して行う。
【００５１】
以上、本発明の実施に係る形態について説明したが、上記内容は、発明の内容を限定するものではない。
【符号の説明】
【００５２】
１００      記録紙
１１０      プリンタ本体部
１１１      記録紙ホルダ
１１２      記録紙ホルダ外枠部
１１３      ロック解除レバー
１２０      蓋部
１２１      案内突起部
１２２      案内突起部
１３０      サーマルヘッド
１４０      プラテンローラ
１４１ａ    一方の軸受
１４１ｂ    他方の軸受
１５０      カッタユニット
１６０      ロックレバー
１６１ａ    右側ロック部
１６１ｂ    左側ロック部
１６２ａ    開口部
１６２ｂ    開口部
１６３      操作部
１７０      スライド機構部
１７１      スライド板
１７２      スライド板
１７３      押しボタン
１７４      コイルバネ
【図１】
2017081128.tif 000003
【図２】
2017081128.tif 000004
【図３】
2017081128.tif 000005
【図４】
2017081128.tif 000006
【図５】
2017081128.tif 000007
【図６】
2017081128.tif 000008
【図７】
2017081128.tif 000009
【図８】
2017081128.tif 000010
【図９】
2017081128.tif 000011
【図１０】
2017081128.tif 000012
【図１１】
2017081128.tif 000013
【図１２】
2017081128.tif 000014
【図１３】
2017081128.tif 000015
【図１４】
2017081128.tif 000016
【図１５】
2017081128.tif 000017
【図１６】
2017081128.tif 000018
【図１７】
2017081128.tif 000019
【図１８】
2017081128.tif 000020
【図１９】
2017081128.tif 000021
【図２０】
2017081128.tif 000022
【図２１】
2017081128.tif 000023
【図２２】
2017081128.tif 000024
【図２３】
2017081128.tif 000025
【図２４】
2017081128.tif 000026
【図２５】
2017081128.tif 000027
【図２６】
2017081128.tif 000028
【図２７】
2017081128.tif 000029
【図２８】
2017081128.tif 000030